(57)【要約】【課題】  車両用トイレタンク内のスラッジを溶解し、前記トイレタンク内を洗浄するものであり、その際、前記トイレタンク内の最大容量を超えさせないようにすること及び溶解したスラッジが前記トイレタンクの外に接続されている車両用真空式トイレタンク内スラッジ除去循環装置内に混入しない手段を講ずること。【解決手段】  車両用トイレタンク内にスラッジ溶解促進用洗浄剤を注入し、前記トイレタンク内の最大容量を超えさせないように容量を把握する水位計及び溶解したスラッジが前記循環装置内内に混入させないためのフイルターを配設し、前記洗浄剤を前記トイレタンク内で循環させることを特徴とする車両用真空式トイレタンク内スラッジ除去循環装置【選択図】図１
2010048070.tif 000002
【特許請求の範囲】
【請求項１】
車両用トイレタンク内にスラッジ溶解促進用洗浄剤を注入し、あらかじめ貯められていた水と前記洗浄剤とが融合した洗浄水を前記トイレタンク内で循環させることを特徴とする車両用真空式トイレタンク内スラッジ除去循環装置
【請求項２】
スラッジ溶解促進用洗浄剤と水とが融合した洗浄水は、循環ポンプにより循環させることを特徴とする請求項１記載の車両用真空式トイレタンク内スラッジ除去循環装置
【請求項３】
車両用トイレタンク内の水位を示す水位計を配設したことを特徴とする請求項１または請求項２記載の車両用真空式トイレタンク内スラッジ除去循環装置
【請求項４】
車両用トイレタンク内からの残留汚物及び洗剤によりタンク壁面に付着しているスラッジの混入を防ぐフイルター付の汚物抜き取り口アタッチメントを配設したことを特徴とする請求項１または請求項２記載の車両用真空式トイレタンク内スラッジ除去循環装置
【請求項５】
車両用トイレタンク内から一定量のスラッジ溶解促進用洗浄剤と水とが融合した洗浄水を抜き取るとともに中和剤を注入し循環させることを特徴とする請求項１から請求項４のいずれかに記載する車両用真空式トイレタンク内スラッジ除去循環装置
【発明の詳細な説明】
【技術分野】
【０００１】  本発明は、車両用のトイレタンク内に付着したスラッジを除去するための装置である。
【背景技術】
【０００２】  トイレタンク装置には、循環式と真空式とがある。【０００３】  循環式トイレタンク装置は、便座付近にあるペタルを踏むことにより、トイレタンク内の汚水等を攪拌させられる方式である。【０００４】  真空式トイレタンク装置は、自らトイレタンク内にある内容物を攪拌させられる方式とはなっていない。
特許文献  特開  ２００１−０４０７３１
【発明の開示】
【発明が解決しようとする課題】
【０００５】  車両用トイレタンク内にスラッジ溶解促進用洗浄剤を注入し、その後一定量の水を注入し、前記洗浄剤と前記水とが融合した洗浄水を前記トイレタンク内で循環させること。【０００６】  前記車両用トイレタンク内の水位が判ること。【０００７】  前記トイレタンク内の汚物が混入しないこと。【０００８】  前記トイレタンク内から前記スラッジ溶解促進用洗浄剤と前記水とが融合した前記洗浄水を一定量抜き取るとともに中和剤を注入し循環させること。
【発明が解決するための手段】
【０００９】  車両用トイレタンク内にスラッジ溶解促進用洗浄剤を注入し、その後一定量の水を注入し、前記洗浄剤と前記水とが融合した洗浄水を前記トイレタンク内で循環ポンプにより循環させること。
【００１０】  前記トイレタンク内の水位を示す水位計を配設すること。
【００１１】  前記トイレタンク内からの汚物の進入を防ぐ網付きアタッチメントを配設すること。
【００１２】  前記トイレタンク内から前記洗浄剤と前記水とが融合した前記洗浄水を抜き取るとともに中和剤を注入し、前記トイレタンク内で循環ポンプにより循環させること。
【発明の効果】
【００１３】  前記スラッジ溶解促進用洗浄剤と水とが融合した洗浄水は、循環ポンプにより循環され、車両用トイレタンク内のスラッジが溶解し、前記トイレタンク内の清掃が容易になった。
【００１４】  水位を示す水位計の配設により、前記トイレタンク内の前記洗浄水の容量の把握が容易になり前記水を注入してもオーバーフローすることがなくなった。
【００１５】  汚物抜き取りアタッチメントの配設により、前記トイレタンク内の汚物の進入が減少した。
【００１６】  前記トイレタンク内から一定量の前記洗浄剤と前記水とが融合した前記洗浄水を抜き取るとともに中和剤を注入し、循環ポンプにより循環され、短時間で中和されるようになった。
【発明を実施するための最良の形態】
【００１７】  図１に示す１の車両用トイレタンクの２の汚物抜き取り口に３の汚物抜き取り口アタッチメント（フイルター付）を、４のワンタッチカップリングに５の水位計をそれぞれ取り付け、６の水位計コックを開き位置にする。【００１８】  １の前記トイレタンクの７の給水口に８の給水口アタッチメントを取り付け、９の給水コックを開き位置にする。【００１９】  １０の洗剤タンクにスラッジ溶解用洗剤を一定量入れ、１１の吐き出しコック、１２の洗剤コックを開き位置にする。【００２０】  １３の電源スイッチを入れ位置とし、１４の循環ポンプにより１の前記トイレタンク内に前記スラッジ溶解用洗剤を注入する。１３の電源スイッチを切り位置にし、１２の洗剤コックを閉じ位置にする。【００２１】  車両の反対側に位置するもう一つの給水口から５の水位計の１５のマンタンラインの位置まで水を注入する。【００２２】  ６の水位計コックを閉じ位置にし、５の水位計を４のワンタッチカップリングから取り外す。【００２２】  １３の電源スイッチを入れ位置とし、１４の循環ポンプにより１のトイレタンク、１６の吸込み用ジャバラホース、１７の給水用ジャバラホースとの間に洗浄水を一定時分循環させる。１３の電源スイッチを切り位置とする。【００２３】  １８の汚物抜き取りコック、１１の吐き出しコック、９の給水コックを閉じ位置とし、８の給水口アタッチメントを取り外す。【００２４】  １のトイレタンク内の７の給水口から一定量の洗浄水を抜き取る。【００２５】  ７の給水口に８の給水口アタッチメントを取り付け、９の給水コック開き位置にする。【００２６】  １０の洗剤タンクに一定量の中和剤を入れ、１２の洗剤コックを開き位置にする。【００２７】  １３の電源スイッチを入れ位置とし、１４の循環ポンプにより１のトイレタンク内に前記中和剤を注入する。【００２８】  １３の電源スイッチを切り位置にし、１２の洗剤コックを閉じ位置にする。【００２９】  １８の汚物抜き取りコック、１１の吐き出しコックをそれぞれ開き位置にする。【００３０】  １３の電源スイッチを入れ位置とし、１４の循環ポンプにより１のトイレタンク、１６の吸込み用ジャバラホース、１７の給水用ジャバラホースとの間に洗浄水を一定時分循環させる。【００３１】  １３の電源スイッチを切り位置とし、１８の汚物抜き取りコック、９の給水口コックをそれぞれ閉じ位置にする。【００３２】  ３の汚物抜き取り口アタッチメント（フイルター付）、８の給水口アタッチメントをそれぞれ取り外す。【００３３】  図３に示す５の水位計には、図１に示す車両用トイレタンク内で、前記洗浄水が溢れ出さないように容量を把握するための、図３の１９のマンタンライン（グリーン車）及び２０のマンタンライン（一般車）を記している。【００３４】  図４は、図１に示す３の汚物抜き取り口アタッチメントで、図４に示す２２のフイルターにより、図１に示す１６の吸込み用ジャバラホース、１７の給水用ジャバラホース内に汚物等の混入を防ぎ、２１のハンドルにより、図１に示す２の汚物抜き取り口に装着する。
【実施例】
【００３５】  当社において、Ｅ２３１系汚物処理装置の真空式トイレタンクの清掃作業で実施している。【００３６】  今後新造されるトイレタンク付車両の汚物処理装置は、全て真空式の汚物処理装置になると見込まれる。
【図面の簡単な説明】
【００３７】
【図１】  車両用真空式トイレタンク内スラッジ除去循環装置を示した概略図。
【図２】  車両用真空式トイレタンク内スラッジ除去循環装置の全体図。
【図３】  車両用真空式トイレタンク内スラッジ除去循環装置に付帯する水位計の断面図
【図４】  車両用真空式トイレタンク内スラッジ除去循環装置に付帯する汚物抜き取り口アタッチメントフイルターの断面図。
【符号の説明】
【００３８】    １  車両用トイレタンク
２  汚物抜き取り口
３  汚物抜き取り口アタッチメント
４  ワンタッチカップリング
５  水位計
６  水位計コック
７  給水口
８  給水口アタッチメント
９  給水コック
１０  洗剤タンク
１１  吐き出しコック
１２  洗剤コック
１３  電源スイッチ
１４  循環ポンプ
１５  マンタンライン
１６  吸込み用ジャバラホース
１７  給水用ジャバラホース
１８  汚物抜き取りコック
１９  マンタンライン（グリーン車）
２０  マンタンライン（一般車）
２１  ハンドル
２２  フイルター
【図１】
2010048070.tif 000003
【図２】
2010048070.tif 000004
【図３】
2010048070.tif 000005
【図４】
2010048070.tif 000006